(57)【要約】      （修正有）【課題】使用時に傘布の生地が擦れない、小型な傘除水機を提供する。【解決手段】傘除水機２は、石突支持部５と、１つ以上のノズル４と、送風部と、を備える。石突支持部５は、石突１ｄと傘布１ｃとを有する開いた状態の傘１の石突１ｄを回転可能に支持する。１つ以上のノズル４は、傘布１ｃに対し石突１ｄと同じ側に水平方向に対して下向きに傾くように設けられる。送風部は、１つ以上のノズル４の吹出口８から傘布１ｃに吹き出す風を発生させる。【選択図】図１
2019090570.tif 000002
【特許請求の範囲】
【請求項１】
石突と傘布とを有する開いた状態の傘の前記石突を回転可能に支持する石突支持部と、
前記傘布に対し前記石突と同じ側に、水平方向に対して下向きに傾くように設けられる１つ以上のノズルと、
前記１つ以上のノズルの吹出口から前記傘布に吹き出す風を発生させる送風部と、
を備える傘除水機。
【請求項２】
前記石突支持部は、前記石突が回転可能な回転軸が水平方向に対して下向きに傾くように前記石突を支持する請求項１に記載の傘除水機。
【請求項３】
前記１つ以上のノズルは、上部ノズルと、前記上部ノズルの吹出口を通り前記石突が回転可能な回転軸を境界に含む半平面を前記石突が回転可能な方向に前記回転軸のまわりに劣角の範囲で回転させた半平面上であり且つ前記上部ノズルの吹出口を通る水平面より下方である位置に吹出口が配置される下部ノズルと、を含む請求項１または請求項２に記載の傘除水機。
【請求項４】
前記上部ノズルは前記回転軸を含む鉛直面に対して前記鉛直面を向くように傾いて配置され、
前記下部ノズルは前記鉛直面に対して前記上部ノズルと反対方向に傾いて配置される請求項３に記載の傘除水機。
【請求項５】
前記送風部が前記風を発生させる動作を開始してから、予め定められた時間が経過した場合に、前記送風部は前記風を発生させる動作を終了する請求項１から請求項４のいずれか一項に記載の傘除水機。
【請求項６】
前記石突の回転を検知する回転検知部を備え、
前記回転検知部が検知した回転の状態に基づいて動作が制御される請求項１から請求項５のいずれか一項に記載の傘除水機。
【請求項７】
前記回転検知部が前記石突の回転が開始したことを検知した場合に、前記送風部は前記風を発生させる動作を開始する請求項６に記載の傘除水機。
【請求項８】
前記回転検知部が前記石突の回転が停止したことを検知した場合に、前記送風部は前記風を発生させる動作を停止する請求項６または請求項７に記載の傘除水機。
【請求項９】
前記回転検知部が計測する前記石突の回転速度が、予め定められた範囲にあるかを報知する報知部
を備える請求項６から請求項８のいずれか一項に記載の傘除水機。
【請求項１０】
前記１つ以上のノズルの一部は、前記回転検知部が前記石突の左回転を検知した場合に前記吹出口から前記風を吹き出し、前記１つ以上のノズルの他の一部は、前記回転検知部が前記石突の右回転を検知した場合に前記吹出口から前記風を吹き出す請求項６から請求項９のいずれか１項に記載の傘除水機。
【請求項１１】
前記送風部が発生させる前記風に含まれる空気を加熱する加熱部
を備える請求項１から請求項１０のいずれか１項に記載の傘除水機。
【請求項１２】
前記傘を開いた状態の前記傘布より下方に配置され、前記傘布から除水された水を受ける水受け部
を備える請求項１から請求項１１のいずれか１項に記載の傘除水機。
【請求項１３】
前記水受け部は、不使用時に折りたたみが可能である請求項１２に記載の傘除水機。
【発明の詳細な説明】
【技術分野】
【０００１】
本発明は、傘除水機に関する。
【背景技術】
【０００２】
特許文献１に傘除水機の例が記載されている。傘除水機は、支持部と、ノズルと、送風部とを備える。傘除水機は、送風部が発生させた風をノズルから傘布の表面に吹きつけることによって、傘布に付着している水分を除去する。
【先行技術文献】
【特許文献】
【０００３】
【特許文献１】特開２００４−１６２９４０号公報
【発明の概要】
【発明が解決しようとする課題】
【０００４】
しかしながら、特許文献１に記載される傘除水機は、傘布の外側に向けたノズルと傘布の内側の中棒を支持する支持部を要する。このため、傘布の生地が擦れないように傘を開いた状態で傘除水機を使用するためには、傘布の両側に装置を配置する必要があり、傘除水機が大型な装置となる。
【０００５】
本発明は、このような課題を解決するためになされた。本発明の目的は、使用時に傘布の生地が擦れない、小型な傘除水機を提供することである。
【課題を解決するための手段】
【０００６】
本発明に係る傘除水機は、石突と傘布とを有する開いた状態の傘の石突を回転可能に支持する石突支持部と、傘布に対し石突と同じ側に水平方向に対して下向きに傾くように設けられる１つ以上のノズルと、１つ以上のノズルの吹出口から傘布に吹き出す風を発生させる送風部と、を備える。
【発明の効果】
【０００７】
本発明によれば、傘除水機は、石突支持部と、１つ以上のノズルと、送風部と、を備える。石突支持部は、石突と傘布とを有する開いた状態の傘の石突を回転可能に支持する。１つ以上のノズルは、傘布に対し石突と同じ側に水平方向に対して下向きに傾くように設けられる。送風部は、１つ以上のノズルの吹出口から傘布に吹き出す風を発生させる。これにより、使用時に傘布の生地が擦れない、小型な傘除水機が実現できる。
【図面の簡単な説明】
【０００８】
【図１】本発明の実施の形態１に係る傘除水機が傘の石突を支持した状態の側面図である。
【図２】本発明の実施の形態１に係る傘除水機の石突支持部の拡大側面図である。
【図３】本発明の実施の形態１に係る傘除水機の石突支持部の矢視Ａから見た拡大図である。
【図４】本発明の実施の形態１に係る傘除水機の正面図である。
【図５】本発明の実施の形態１に係る傘除水機の構成を示すブロック図である。
【図６】本発明の実施の形態１に係る傘除水機が傘の石突を支持した状態の石突支持部の拡大側面図である。
【図７】本発明の実施の形態１に係る傘除水機が傘の石突を支持した状態の石突支持部の矢視Ｂから見た拡大図である。
【図８】本発明の実施の形態１に係る傘除水機が傘の石突を支持した状態の正面図である。
【図９】本発明の実施の形態１に係る傘除水機の報知部の報知の例を示す図である。
【図１０】本発明の実施の形態１に係る制御部の動作の例を示すフローチャートである。
【図１１】本発明の実施の形態１に係る制御部の主要部のハードウェア構成を示す図である。
【図１２】本発明の実施の形態２に係る傘除水機が傘の石突を支持した状態の側面図である。
【図１３】本発明の実施の形態２に係る傘除水機が傘の石突を支持した状態の正面図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１を用いて、傘除水機２の構成を説明する。
図１は、本実施の形態に係る傘除水機が傘の石突を支持した状態の側面図である。
【００１１】
傘１は、中棒１ａと傘骨１ｂと傘布１ｃと石突１ｄと露先１ｅと持ち手１ｆとを備える。中棒１ａは、傘１の軸を構成する。傘骨１ｂは、傘１が開いた状態において、中棒１ａの端部から放射状に広がるように、中棒１ａの反対側の端部に向けて傾いて設けられる。傘布１ｃは、傘１が開いた状態において、傘骨１ｂの間に張られる。石突１ｄは、中棒１ａの傘骨１ｂが設けられる側の端部に設けられる。石突１ｄおよび中棒１ａの中心軸は、傘１の中心軸と一致する。石突１ｄは、傘布１ｃから外側に向けて突出する。石突１ｄは、傘１の中心部で傘布１ｃを中棒１ａに留める。露先１ｅは、傘１の外周部で傘布１ｃを傘骨１ｂに留める。持ち手１ｆは、中棒１ａの石突１ｄと反対側の端部に設けられる。
【００１２】
傘除水機２は、本体３と、１つ以上のノズル４と、石突支持部５と、を備える。傘除水機２は、例えば建物の入口に設けられる。
【００１３】
本体３は、例えば直方体の箱状の形状である。本体３は、例えば壁６に設けられた図示しないフックを本体３の後面に掛けることで、床７の上方に壁掛け式に設けられる。
【００１４】
ノズル４の各々は、筒状の形状である。ノズル４の各々は、本体３の前面から突出する。ノズル４の各々は、例えば水平方向に対して６０°から８０°下向きに傾いて設けられる。ノズル４の各々は、本体３と反対側の端部に吹出口８を有する。
【００１５】
石突支持部５は、筒状の形状である。石突支持部５は、本体３の前面から突出する。石突支持部５は、例えば水平方向に対して、およそ３０°下向きに傾いて設けられる。石突支持部５は、傘除水機２の使用時に傘１の石突１ｄが挿入される石突挿入部５ａを有する。石突支持部５は、傘１の中棒１ａの中心軸を回転軸として左方向および右方向に回転可能に石突１ｄを支持しうるように構成される。
【００１６】
続いて、図２および図３を用いて石突支持部５の構成を説明する。
図２は、本実施の形態に係る傘除水機の石突支持部の拡大側面図である。図２において、矢視Ａは、石突支持部５の軸方向と平行な方向を示す。図３は、本実施の形態に係る傘除水機の石突支持部の拡大図である。図３は、図２の矢視Ａの方向から見た図である。
【００１７】
石突支持部５は、石突抑え部５ｂと、バネ５ｃと、回転検知部９と、を備える。
【００１８】
石突抑え部５ｂは、石突挿入部５ａに、石突支持部５の軸方向に対して垂直に移動可能に設けられる。
【００１９】
バネ５ｃは、石突抑え部５ｂと石突支持部５の内面との間に設けられる。
【００２０】
回転検知部９は、ホイール９ａと回転センサー９ｂとを有する。
【００２１】
ホイール９ａは、回転軸が石突支持部５の軸方向と平行になるように設けられる。ホイール９ａの側面は、石突挿入部５ａの内部で、石突抑え部５ｂのバネが設けられた面の反対の面が対向する。ホイール９ａは、バネ５ｃの弾性力によって石突抑え部５ｂの対向する面が傘除水機２の不使用時に押し付けられるように配置される。ホイール９ａは、例えばゴム等の滑りにくい素材で形成される。
【００２２】
回転センサー９ｂは、ホイール９ａの回転を検知し得るように設けられる。回転センサー９ｂは、例えばホイール９ａの軸に接続されるジャイロセンサーである。
【００２３】
図３に示されるように、ホイール９ａは、側面が石突支持部５の内面から内側に向けて突出する。ホイール９ａは、石突支持部５の軸方向を回転軸として、右回転および左回転が可能であるように設けられる。
【００２４】
続いて、図４を用いて本体３の前面から見た構成を説明する。
図４は、本実施の形態に係る傘除水機の正面図である。
【００２５】
回転方向Ｌおよび回転方向Ｒは、石突支持部５が支持する石突１ｄが回転しうる方向を表す。石突１ｄが回転しうる方向は、傘１が回転しうる方向である。回転方向Ｌは、石突１ｄの左回転を表す。回転方向Ｒは、石突１ｄの右回転を表す。
【００２６】
ノズル４ａおよびノズル４ｃは、第１のノズル群に含まれる。ノズル４ｂおよびノズル４ｄは、第２のノズル群に含まれる。
【００２７】
ノズル４ａとノズル４ｃとの組は、上部ノズルと下部ノズルとの組である。ノズル４ｄとノズル４ｂとの組は、上部ノズルと下部ノズルとの組である。
【００２８】
ノズル４ａは、本体３の前面の上部に設けられる。ノズル４ｃは、本体３の前面の下部に設けられる。ノズル４ｃの吹出口８ｃは、ノズル４ａの吹出口８ａを通る水平面より下方に距離Ｙ離れた位置に配置される。石突１ｄが左回転可能に支持されている場合に、ノズル４ｃの吹出口８ｃは、石突１ｄが回転可能な回転軸を境界に含む半平面Ｐ１を、当該回転軸のまわりに劣角φの範囲で左回転させた半平面Ｐ２が通る位置に配置される。劣角φは、１８０°より小さい正の回転角である。吹出口８ｃは、吹出口８ａと水平方向に距離Ｘ離れた位置に配置される。吹出口８ａと吹出口８ｃとは、回転軸を含む鉛直面Ｖに対して両側に配置される。ノズル４ａは、鉛直面Ｖに向くように、鉛直面Ｖに対して角度θ傾いて配置される。ノズル４ｃは、鉛直面Ｖに対してノズル４ａと反対方向に角度θ傾いて配置される。すなわち、ノズル４ａおよびノズル４ｃは、傘１の中心寄りに傾けるように配置される。
【００２９】
ノズル４ｄは、本体３の前面の上部に設けられる。ノズル４ｂは、本体３の前面の下部に設けられる。ノズル４ｂの吹出口８ｂは、ノズル４ｄの吹出口８ｄを通る水平面より下方に距離Ｙ離れた位置に配置される。石突１ｄが右回転可能に支持されている場合に、ノズル４ｂの吹出口８ｂは、石突１ｄが回転可能な回転軸を境界に含む半平面を、当該回転軸のまわりに劣角の範囲で右回転させた半平面が通る位置に配置される。吹出口８ｂは、吹出口８ｄと水平方向に距離Ｘ離れた位置に配置される。吹出口８ｄと吹出口８ｂとは、回転軸を含む鉛直面Ｖに対して両側に配置される。ノズル４ｄは、鉛直面Ｖに向くように、鉛直面Ｖに対して傾いて配置される。ノズル４ｂは、鉛直面Ｖに対してノズル４ｄと反対方向に傾いて配置される。すなわち、ノズル４ｄおよびノズル４ｂは、傘１の中心寄りに傾けるように配置される。
【００３０】
本体３は、報知部１０を備える。報知部１０は、３つのランプを備える。３つのランプの各々は、傘１の回転速度の範囲に対応する。
【００３１】
続いて、図５を用いて本体３の内部の構成を説明する。
図５は、本実施の形態に係る傘除水機の構成を示すブロック図である。
【００３２】
傘除水機２の本体３は、送風部１１と、加熱部１２と、風路切替え部１３と、制御部１４と、を内部に備える。本体３は、空気を流すことができる空間として風路を内部に有する。
【００３３】
送風部１１は、１つ以上のノズル４の各々の吹出口から風を発生させるブロアである。送風部１１は、発生させた風を吹き出す吹出口を有する。送風部１１の吹出口は、風路１６ａを介して加熱部１２と通じる。
【００３４】
加熱部１２は、送風部１１が発生させる風に含まれる空気をジュール熱により加熱するヒーターである。加熱部１２は、内部を流れる空気を加熱できる空間を有する。
【００３５】
風路切替え部１３は、風路を切り替える電磁切替え弁である。風路切替え部１３は、入口と第１の出口と第２の出口とを有する。第１の出口および第２の出口は、いずれか一方が空気を流す開状態であるとき、他方は空気を流さない閉状態であるように構成される。風路切替え部１３は、切替え信号を受信したときに、第１の出口および第２の出口の開状態および閉状態を切り替える。風路切替え部１３の入口は、風路１６ｂを介して加熱部１２と通じる。風路切替え部１３の第１の出口は、風路１６ｃを通じて第１のノズル群に含まれるノズル４ａおよび４ｃと通じる。風路切替え部１３の第２の出口は、風路１６ｄを通じて第２のノズル群に含まれるノズル４ｄおよび４ｂと通じる。
【００３６】
制御部１４は、回転検知部９が検知した石突１ｄの回転の状態に基づいて、報知部１０と送風部１１と加熱部１２と風路切替え部１３との動作を制御する制御基板である。制御部１４は、回転検知部９が検知した回転の開始、終了、回転方向および回転速度を表す信号を受信するように、回転検知部９と接続される。制御部１４は、送風部１１の風を発生させる動作を開始および終了させる信号を送信するように、送風部１１と接続される。制御部１４は、加熱部１２の空気を加熱する動作を開始および終了させる信号を送信するように、加熱部１２と接続される。制御部１４は、風路切替え部１３に切替え信号を送信するように、風路切替え部１３と接続される。制御部１４は、報知動作を行う信号を送信するように、報知部１０と接続される。
【００３７】
制御部１４は、計時部１５を備える。計時部１５は、送風部１１が風を発生させる動作を開始してから経過した時間を計るタイマーである。
【００３８】
続いて、図６から図１０を用いて傘除水機２の動作を説明する。
図６は、本実施の形態に係る傘除水機が傘の石突を支持した状態の石突支持部の拡大側面図である。図６において、矢視Ｂは、石突支持部５の軸方向と平行な方向を示す。図７は、本実施の形態に係る傘除水機が傘の石突を支持した状態の石突支持部の拡大図である。図７は、図６の矢視Ｂの方向から見た図である。図８は、本実施の形態に係る傘除水機が傘の石突を支持した状態の正面図である。図９は、本実施の形態に係る傘除水機の報知部の報知の例を示す図である。図１０は、本実施の形態に係る制御部の動作の例を示すフローチャートである。
【００３９】
使用者は、雨天時に開いた状態の傘１を差して建物の入口に到着する。使用者は、濡れた傘１を開いた状態のまま、石突１ｄを石突支持部５の石突挿入部５ａに挿入する。
【００４０】
石突抑え部５ｂは、石突挿入部５ａに挿入された石突１ｄに押されて、石突支持部５の軸方向に対して垂直に移動する。石突抑え部５ｂは、バネ５ｃの弾性力によって接触していたホイール９ａから離れる。石突抑え部５ｂは、石突１ｄを挟んでホイール９ａと対向する。バネ５ｃは、弾性力により石突抑え部５ｂを介して、石突１ｄをホイール９ａに押し付けることで支持する。
【００４１】
石突支持部５に石突１ｄを支持された傘１は、中棒１ａが、石突支持部５の傾きに従って、水平方向に対し下向きに３０°傾いた状態で支持される。
【００４２】
使用者は、石突１ｄが石突支持部５に支持された状態で、傘１を開いたまま回転させる。石突１ｄは、傘１と同じ回転軸の周りで同じ回転方向に回転する。
【００４３】
図７に示されるように、ホイール９ａは、回転する石突１ｄの表面と滑らず接触することによって、石突１ｄの回転と反対方向に回転する。回転センサー９ｂは、ホイール９ａの右回転を検知する場合に、石突１ｄの左回転を検知する。回転センサー９ｂは、ホイール９ａの左回転を検知する場合に、石突１ｄの右回転を検知する。回転検知部９は、回転センサー９ｂによって検知した石突１ｄの回転の開始、回転方向および回転速度を表す信号を制御部１４に送信する。
【００４４】
制御部１４は、回転検知部９が検知した石突１ｄの回転の開始および回転方向を表す信号に基づいて、風路切替え部１３に第１の出口を開く切替え信号または第２の出口を開く切替え信号を送信する。制御部１４は、回転検知部９が検知した石突１ｄの回転の開始を表す信号に基づいて、送風部１１に風を発生させる動作を開始させる信号を送信する。制御部１４は、回転検知部９が検知した石突１ｄの回転の開始を表す信号に基づいて、加熱部１２に空気を加熱する動作を開始させる信号を送信する。制御部１４は、回転検知部９が検知した石突１ｄの回転の回転速度を表す信号に基づいて、報知部１０に報知動作を行う信号を送信する。制御部１４は、回転検知部９が検知した石突１ｄの回転の開始を表す信号に基づいて、計時部１５による経過時間の計測を開始する。
【００４５】
風路切替え部１３は、制御部１４から第１の出口を開く切替え信号を受信した場合に、第１の出口を開き第２の出口を閉じる。これによって、送風部１１が第１のノズル群に含まれるノズル４ａおよびノズル４ｄと通じる。
【００４６】
風路切替え部１３は、制御部１４から第２の出口を開く切替え信号を受信した場合に、第２の出口を開き第１の出口を閉じる。これによって、送風部１１が第２のノズル群に含まれるノズル４ｃおよびノズル４ｂと通じる。
【００４７】
送風部１１は、制御部１４から風を発生させる動作を開始させる信号を受信した場合に、図示しない吸気口から外気を吸い込む。送風部１１は、吸込んだ外気から風を発生させる。送風部１１が発生させた風は、風路１６ａを介して加熱部１２に流れ込む。
【００４８】
送風部１１は、制御部１４から信号を受信した後、速やかに風を発生させる動作を開始する。すなわち、送風部１１が風を発生させる動作を開始してからの時間は、計時部１５によって計測される経過時間と同じである。
【００４９】
加熱部１２は、制御部１４から空気を加熱する動作を開始させる信号を受信する。加熱部１２は、ジュール熱を発生させる。加熱部１２に流れ込んだ風は、発生したジュール熱により加熱される。加熱された風は、温風となって加熱部１２から風路１６ｂを介して風路切替え部１３に入口から流れ込む。
【００５０】
図８に示されるように、風路切替え部１３の第１の出口が開いている場合に、風路切替え部１３に入口から流れ込んだ風は、第１のノズル群に含まれるノズル４ａおよびノズル４ｃの吹出口８ａおよび吹出口８ｃから吹き出す。
【００５１】
ノズル４の吹出口８から吹き出した風は、水平方向から下向きに傾いて、濡れている傘布１ｃに向かって吹き出す。傘布１ｃに吹出した風は、傘布１ｃの表面の水を風の流れとともに露先１ｅを含む外周部まで移動させて、外周部から水を離脱させる。これによって傘除水機２は傘１の除水を行う。
【００５２】
ノズル４ａは本体３の上部に設けられているため、傘１の中央付近の除水を担う。ノズル４ｃは本体３の下部に設けられているため、傘１の外周付近の除水を担う。
【００５３】
ノズル４ａから吹き出した風により傘布１ｃの表面を移動した水は、傘１の回転とともにノズル４ｃから吹き出した風の下流に移動し、ノズル４ｃから吹き出した風によっても移動する。
【００５４】
ノズル４ａから吹き出した風とノズル４ｃから吹き出した風は傘１の中心に向けて合流するように流れるので、傘１の外周部から離脱した水滴を伴って流れる風は、傘１の回転の接線方向への広がりが抑制されて流れる。
【００５５】
一方、風路切替え部１３の第２の出口が開いている場合に、風路切替え部１３に入口から流れ込んだ風は、第２のノズル群に含まれるノズル４ｄおよびノズル４ｂの吹出口８ｄおよび吹出口８ｂから吹き出す。
【００５６】
ノズル４ｄは本体３の上部に設けられているため、傘１の中央付近の除水を担う。ノズル４ｂは本体３の下部に設けられているため、傘１の外周付近の除水を担う。
【００５７】
ノズル４ｄから吹き出した風により傘布１ｃの表面を移動した水は、傘１の回転とともにノズル４ｂから吹き出した風の下流に移動し、ノズル４ｂから吹き出した風によっても移動する。
【００５８】
ノズル４ｄから吹き出した風とノズル４ｂから吹き出した風は傘１の中心に向けて合流するように流れるので、傘１の外周から離脱した水滴を伴って流れる風は、傘１の回転の接線方向への広がりが抑制されて流れる。
【００５９】
図９（ａ）に示すように、報知部１０は、報知動作を行う信号として回転速度が遅いことを報知する信号を制御部１４から受信した場合に、回転速度が遅いことを報知するランプ１０ａを点灯する。図９（ｂ）に示すように、報知部１０は、報知動作を行う信号として、回転速度が適切であることを報知する信号を制御部１４から受信した場合に、回転速度が適切であることを報知するランプ１０ｂを点灯する。図９（ｃ）に示すように、報知部１０は、報知動作を行う信号として回転速度が速いことを報知する信号を制御部１４から受信した場合に、回転速度が速いことを報知するランプ１０ｃを点灯する。
【００６０】
計時部１５が測定する経過時間が予め定められた時間を経過する前に傘１の除水が終了した場合に、使用者は、傘１の回転を終了させる。
【００６１】
ホイール９ａは、傘１の石突１ｄの回転の終了とともに、回転を終了する。回転検知部９は、回転センサー９ｂが検知した回転の終了を表す信号を制御部１４に送信する。
【００６２】
制御部１４は、回転検知部９が送信した石突１ｄの回転の終了を表す信号に基づいて、風を発生させる動作を終了させる信号を送風部１１に送信する。制御部１４は、回転検知部９が送信した石突１ｄの回転の終了を表す信号に基づいて、空気を加熱する動作を終了させる信号を加熱部１２に送信する。制御部１４は、回転検知部９が送信した石突１ｄの回転の終了を表す信号に基づいて、報知動作を行う信号を報知部１０に送信する。制御部１４は、回転検知部９が送信した石突１ｄの回転の終了を表す信号に基づいて、計時部１５による経過時間の計測を終了する。
【００６３】
一方、計時部１５が測定する経過時間が予め定められた時間を経過した場合に、制御部１４は、風を発生させる動作を終了させる信号を送風部１１に送信する。制御部１４は、空気を加熱する動作を終了させる信号を加熱部１２に送信する。制御部１４は、報知動作を行う信号を報知部１０に送信する。制御部１４は、計時部１５による経過時間の計測を終了する。使用者は、傘１の回転を終了させる。
【００６４】
送風部１１は、制御部１４から風を発生させる動作を終了させる信号を受信した場合に、当該動作を終了する。
【００６５】
加熱部１２は、制御部１４から空気を加熱する動作を終了させる信号を受信した場合に、当該動作を終了する。
【００６６】
報知部１０は、報知動作を行う信号として、回転が終了したことを報知する信号を制御部１４から受信した場合に、３つのランプ全てを消灯する。
【００６７】
使用者は、除水された傘１の石突１ｄを石突支持部５から引き抜く。
【００６８】
図１０に示されるように、ステップＳ１において、制御部１４は、石突１ｄの回転の開始を表す信号を回転検知部９から受信したかを判定する。判定結果がＮｏである場合は、制御部１４の動作はステップＳ１に進む。判定結果がＹｅｓである場合は、制御部１４の動作はステップＳ２に進む。
【００６９】
ステップＳ２において、制御部１４は、回転検知部９から受信した信号が表す石突１ｄの回転方向が左回転であるかを判定する。判定結果がＹｅｓである場合は、制御部１４の動作はステップＳ３に進む。判定結果がＮｏである場合は、制御部１４の動作はステップＳ４に進む。
【００７０】
ステップＳ３において、制御部１４は、第１の出口を開く切替え信号を風路切替え部１３に送信する。その後、制御部１４の動作はステップＳ５に進む。
【００７１】
ステップＳ４において、制御部１４は、第２の出口を開く切替え信号を風路切替え部１３に送信する。その後、制御部１４の動作はステップＳ５に進む。
【００７２】
ステップＳ５において、制御部１４は、風を発生させる動作を開始させる信号を送風部１１に送信する。その後、制御部１４は、空気を加熱する動作を開始させる信号を加熱部１２に送信する。その後、制御部１４は、計時部１５による経過時間の計測を開始する。その後、制御部１４の動作はステップＳ６に進む。
【００７３】
ステップＳ６において、制御部１４は、回転検知部９から受信した信号が表す石突１ｄの回転速度が、下限速度より遅いかを判定する。判定結果がＮｏである場合に、制御部１４の動作は、ステップＳ７に進む。判定結果がＹｅｓである場合に、制御部１４の動作は、ステップＳ８に進む。
【００７４】
ステップＳ７において、制御部１４は、回転検知部９から受信した信号が表す石突１ｄの回転速度が、上限速度より速いかを判定する。判定結果がＮｏである場合に、制御部１４の動作は、ステップＳ９に進む。判定結果がＹｅｓである場合に、制御部１４の動作は、ステップＳ１０に進む。
【００７５】
ステップＳ８において、制御部１４は、報知動作を行う信号として、回転速度が遅いことを報知する信号を報知部１０に送信する。その後、制御部１４の動作は、ステップＳ１１に進む。
【００７６】
ステップＳ９において、制御部１４は、報知動作を行う信号として、回転速度が適切であることを報知する信号を報知部１０に送信する。その後、制御部１４の動作は、ステップＳ１１に進む。
【００７７】
ステップＳ１０において、制御部１４は、報知動作を行う信号として、回転速度が速いことを報知する信号を報知部１０に送信する。その後、制御部１４の動作は、ステップＳ１１に進む。
【００７８】
ステップＳ１１において、制御部１４は、回転の終了を表す信号を受信したかを判定する。判定結果がＮｏである場合は、制御部１４の動作はステップＳ１２に進む。判定結果がＹｅｓである場合は、制御部１４の動作はステップＳ１３に進む。
【００７９】
ステップＳ１２において、制御部１４は、計時部１５によって計時される時間が、予め定められた時間を経過したかを判定する。判定結果がＮｏである場合は、制御部１４の動作は、ステップＳ６に進む。判定結果がＹｅｓである場合は、制御部１４の動作は、ステップＳ１３に進む。
【００８０】
ステップＳ１３において、制御部１４は、風を発生させる動作を終了させる信号を送風部１１に送信する。その後、制御部１４は、空気を加熱する動作を終了させる信号を加熱部１２に送信する。その後、制御部１４は、報知動作を終了させる信号を報知部１０に送信する。その後、制御部１４は、計時部１５による経過時間の計測を終了する。その後、制御部１４の動作はステップＳ１に進む。
【００８１】
以上に説明したように、本実施の形態に係る傘除水機２においては、石突支持部５と１つ以上のノズル４と送風部１１とを備える。石突支持部５は、石突１ｄと傘布１ｃとを有する開いた状態の傘１の石突１ｄを回転可能に支持する。１つ以上のノズル４は、傘布に対し前記石突と同じ側に、水平方向に対して下向きに傾くように設けられる。送風部１１は、１つ以上のノズル４の吹出口８から傘布１ｃに吹き出す風を発生させる。これにより、傘除水機２は、傘布１ｃの外側のみに装置を配置する小型な構成となる。使用の際に傘布１ｃの生地が互いに擦れることがないため、傘除水機２は、傘布１ｃの擦れることによる傷みを抑制できる。使用者は、例えば折りたたみ傘などの閉じた状態において傘布の濡れた部分が外側に向かない傘を除水する際にも、傘除水機２を使用できる。
【００８２】
また、石突支持部５は、石突１ｄが回転可能な回転軸が水平方向に対して下向きに傾くように石突１ｄを支持する。傘１は、石突１ｄの回転軸を中心軸とする中棒１ａが水平方向に対し下向きに傾いた状態で支持されることによって、持ち手１ｆが石突１ｄより水平方向に下がった位置になるように支持される。これにより、使用者は、傘１を差した状態から自然な手首の角度で傘１の石突１ｄを石突支持部５に挿入できる。傘骨１ｂは中棒１ａの反対側の端部に向けて傾いて設けられるため、石突１ｄの下方に位置する露先１ｅは、外周に向けた接線方向が鉛直方向に近くなるように支持される。よって、露先１ｅを含む外周部から除水された水の飛散しうる前後方向の範囲が狭くなる。したがって、傘除水機２は、除水された水により使用者が濡れることを抑制できる。
【００８３】
また、１つ以上のノズルは、上部ノズルと下部ノズルとを含む。下部ノズルの吹出口は、上部ノズルの吹出口を通り石突１ｄが回転可能な回転軸を境界に含む半平面を石突１ｄが回転可能な方向に当該回転軸のまわりに劣角の範囲で回転させた半平面上に配置される。下部ノズルの吹出口は、上部ノズルの吹出口を通る水平面より下方である位置に配置される。これにより、上部ノズルから吹き出した風により傘布１ｃの表面を移動した水が下部ノズルから吹き出した風によっても傘布１ｃの表面を移動するように傘布１ｃに風が吹きつけられるため、傘除水機２は、より効率的に傘１の除水を行える。
【００８４】
また、上部ノズルは、石突１ｄの回転軸を含む鉛直面に対して当該鉛直面を向くように傾いて配置され、下部ノズルは当該鉛直面に対して上部ノズルと反対方向に傾いて配置される。これにより、上部ノズルおよび下部ノズルから吹き出した風による気流は、傘１の回転の下端の接線方向に互いに向かい合うように合流するので、合流した気流は当該接線方向への広がりが抑制される。よって、傘除水機２は、傘１から脱離した水滴の飛散する範囲をより狭く抑えることができる。
【００８５】
また、傘除水機２は、送風部１１が風を発生させる動作を開始してから、予め定められた時間が経過した場合に、送風部１１は風を発生させる動作を終了する。使用者は、傘除水機２を停止する操作を別途行う必要がない。
【００８６】
また、傘除水機２は、石突１ｄの回転を検知する回転検知部９を備え、回転検知部９が検知した回転の状態に基づいて動作が制御される。使用者は、傘１から手を離すことなく回転によって傘除水機２の動作を制御できるため、別途スイッチ等を操作せずに簡便に傘除水機２を使用できる。
【００８７】
また、回転検知部９が石突１ｄの回転が開始したことを検知した場合に、送風部１１は、風を発生させる動作を開始する。使用者は、手に持った傘１を回転させる簡易な操作の他にスイッチ等の操作を必要とせず、傘１の除水を開始することができる。
【００８８】
また、回転検知部９が石突１ｄの回転が停止したことを検知した場合に、送風部１１は、風を発生させる動作を停止する。使用者は、手に持った傘１を回転させる簡易な操作のほかにスイッチ等の操作を必要とせず、傘１の除水を停止することができる。
【００８９】
また、傘除水機２は、回転検知部９が計測する石突１ｄの回転速度が、予め定めた範囲にあるかを報知する報知部１０を備える。使用者は、報知によって、傘１の回転速度を適切な状態にすることができる。使用者は、速すぎる回転による水滴の飛散および遅すぎる回転による除水効率の低下を避けて利用できる。
【００９０】
また、１つ以上のノズル４の一部は、回転検知部９が石突１ｄの左回転を検知した場合に吹出口８から風を吹き出す。１つ以上のノズル４の他の一部は、回転検知部９が石突１ｄの右回転を検知した場合に吹出口８から風を吹き出す。傘１の回転方向に応じて風が吹き出すノズルが選択されるので、使用者は傘１を回転させる方向を意識する必要がない。
【００９１】
また、傘除水機２は、送風部１１が発生させる風に含まれる空気を加熱する加熱部１２を備える。加熱により温風が傘布１ｃに吹き付けられるため、傘布１ｃがより早く乾燥する。傘布１ｃがフッ素コーティング素材である場合は、傘布１ｃは、温風によって撥水性が回復しうる。
【００９２】
なお、本体３は、フックによらず、フレーム材を介して壁６に設置するものでもよい。
【００９３】
石突支持部５は、左回転または右回転のいずれか一方向のみに回転可能に石突１ｄを支持してもよい。ホイール９ａは、右回転または左回転のいずれか一方向のみに回転可能に設けられてもよい。
【００９４】
１つ以上のノズル４の向きは、吹出口８の位置に応じて調整された向きであってもよい。傘除水機２は、傘布１ｃの表面に沿う方向に風を吹きつける場合の方が、傘布１ｃに垂直に風を吹きつける場合より除水した水滴の飛散を抑制できる。
【００９５】
制御部１４は、計時部１５を備えなくてもよい。傘除水機２は、石突１ｄの回転を検知している間は送風部１１の動作を継続してもよい。
【００９６】
傘除水機２は、回転検知部９を備えなくてもよい。傘除水機２は、例えばフットペダルまたは押しボタン等のスイッチによって、送風部１１または加熱部１２の動作を開始および終了してもよい。
【００９７】
送風部１１は、ファンであってもよい。
【００９８】
加熱部１２は、建物の排熱または燃料の燃焼熱によって空気を加熱してもよい。傘除水機２は、加熱部１２を備えなくてもよい。
【００９９】
風路切替え部１３は、電気駆動の切替え弁であってもよい。風路切替え部１３は、切替え弁の組合せであってもよい。傘除水機２は、風路切替え部１３を備えなくてもよい。
【０１００】
報知部１０は、複数色の表示が可能な１つのランプの表示色の変化によって、石突１ｄの回転速度が予め定めた範囲にあるかを報知してもよい。報知部１０は、ブザーから発する音の変化によって、石突１ｄの回転速度が予め定めた範囲にあるかを報知してもよい。報知部１０は、スピーカーから発する人工音声によって、石突１ｄの回転速度が予め定めた範囲にあるかを報知してもよい。傘除水機２は、報知部１０を備えなくてもよい。
【０１０１】
続いて、図１１を用いて制御部１４のハードウェア構成の例について説明する。
図１１は、本実施の形態に係る制御部の主要部のハードウェア構成を示す図である。
【０１０２】
制御部１４の各機能は、処理回路により実現し得る。処理回路は、少なくとも１つのプロセッサ１４ｂと少なくとも１つのメモリ１４ｃとを備える。処理回路は、プロセッサ１４ｂおよびメモリ１４ｃと共に、或いはそれらの代用として、少なくとも１つの専用のハードウェア１４ａを備えてもよい。
【０１０３】
処理回路がプロセッサ１４ｂとメモリ１４ｃとを備える場合、制御部１４の各機能は、ソフトウェア、ファームウェア、またはソフトウェアとファームウェアとの組み合わせで実現される。ソフトウェアおよびファームウェアの少なくとも一方は、プログラムとして記述される。そのプログラムはメモリ１４ｃに格納される。プロセッサ１４ｂは、メモリ１４ｃに記憶されたプログラムを読み出して実行することにより、制御部１４の各機能を実現する。
【０１０４】
プロセッサ１４ｂは、ＣＰＵ（Ｃｅｎｔｒａｌ  Ｐｒｏｃｅｓｓｉｎｇ  Ｕｎｉｔ）、処理装置、演算装置、マイクロプロセッサ、マイクロコンピュータ、ＤＳＰともいう。メモリ１４ｃは、例えば、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等により構成される。
【０１０５】
処理回路が専用のハードウェア１４ａを備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。
【０１０６】
制御部１４の各機能は、それぞれ処理回路で実現することができる。あるいは、制御部１４の各機能は、まとめて処理回路で実現することもできる。制御部１４の各機能について、一部を専用のハードウェア１４ａで実現し、他部をソフトウェアまたはファームウェアで実現してもよい。このように、処理回路は、ハードウェア１４ａ、ソフトウェア、ファームウェア、またはこれらの組み合わせで制御部１４の各機能を実現する。
【０１０７】
実施の形態２．
本実施の形態では、実施の形態１で開示された例と相違する点について詳しく説明する。本実施の形態で説明しない特徴については、実施の形態１で開示された例のいずれの特徴が採用されてもよい。
【０１０８】
図１２を用いて、傘除水機２の構成を説明する。
図１２は、本実施の形態に係る傘除水機が傘の石突を支持した状態の側面図である。
【０１０９】
本体３は、壁６に埋め込むように設けられる。あるいは、本体３は、壁６に設けられる段差部または凹部に設置される。
【０１１０】
傘除水機２は、水受け部１７と、ドレンタンク１８と、を備える。
【０１１１】
水受け部１７は、開いた状態の傘１の傘布１ｃより下方に配置される。水受け部１７は、例えば直方体のトレイ状の形状である。水受け部１７は、壁６にヒンジ１７ａを介して設置される。水受け部１７は、使用時には傘布の下方に位置するように、ヒンジ１７ａの可動範囲が制限される。水受け部１７は、使用時には壁６の方向に向かって下がるように傾いて配置される。水受け部１７は、不使用時には壁６に沿う位置に折りたたみが可能なように配置される。
【０１１２】
ドレンタンク１８は、壁６の内部に埋め込まれて配置される。ドレンタンク１８は、水受け部１７の上面と通じる図示しない開口を上部に有する。ドレンタンク１８は、貯水された水の量を水位によって測る図示しない水位計を有する。ドレンタンク１８は、排水溝に通じる図示しない排水弁を有する。排水弁は、例えば、水位計が予め定めた水位より高い値を示した場合に開状態となるように、水位計と接続される。
【０１１３】
続いて、図１３を用いて、正面からみた傘除水機２の構成を説明する。
図１３は、本実施の形態に係る傘除水機が傘の石突を支持した状態の正面図である。
【０１１４】
水受け部１７は、例えば傘１の開いた状態の直径より広い幅を有するように設けられる。
【０１１５】
続いて、本実施の形態における傘除水機２の動作を説明する。
【０１１６】
実施の形態１と同様に傘１から除水された水滴は、水受け部１７によって受け止められる。水受け部１７によって受け止められた水は、水受け部１７の上面を傾斜に従って壁６の方向に流れる。水受け部１７の上面を流れた水は、水受け部１７の上面と通じる開口を介してドレンタンク１８に上部から流れ込む。
【０１１７】
ドレンタンク１８に流れ込んだ水は、ドレンタンク１８に貯水される。ドレンタンク１８に貯水された水の量が予め定められた量を超えた場合に、貯水された水は、排水弁を介して排水溝に排水される。
【０１１８】
以上に説明したように、本実施の形態に係る傘除水機２は、水受け部１７を備える。水受け部１７は、傘１を開いた状態の傘布１ｃより下方に配置され、傘布１ｃから除水された水を受ける。これによって、傘除水機２は、傘布１ｃから除水された水滴の周辺への飛散を防ぐことができる。
【０１１９】
また、水受け部１７は、不使用時に折りたたみが可能である。これによって、傘除水機２の不使用時に、水受け部１７は建物を利用する利用者の通行等を妨げない。
【０１２０】
なお、傘除水機２は、ドレンタンク１８を備えなくてもよい。水受け部１７は、傘１から除水された水を、排水溝に直接排水してもよい。
【０１２１】
水受け部１７は、折りたたみ可能でなくてもよい。水受け部１７は、例えば、不使用時に蓋によって覆われる、床７に設けられた排水溝と通じる凹部であってもよい。
【符号の説明】
【０１２２】
１  傘、  １ａ  中棒、  １ｂ  傘骨、  １ｃ  傘布、  １ｄ  石突、  １ｅ  露先、  １ｆ  持ち手、  ２  傘除水機、  ３  本体、  ４、４ａ、４ｂ、４ｃ、４ｄ  ノズル  ５  石突支持部、  ５ａ  石突挿入部  、５ｂ  石突抑え部、  ５ｃ  バネ、  ６  壁、  ７  床、  ８、８ａ、８ｂ、８ｃ、８ｄ  吹出口、  ９  回転検知部、  ９ａ  ホイール、  ９ｂ  回転センサー、  １０  報知部、  １０ａ、１０ｂ、１０ｃ  ランプ、  １１  送風部、  １２  加熱部、  １３  風路切替え部、  １４  制御部、  １４ａ  ハードウェア、  １４ｂ  プロセッサ、  １４ｃ  メモリ、  １５  計時部、  １６ａ、１６ｂ、１６ｃ、１６ｄ  風路、  １７  水受け部、  １７ａ  ヒンジ、  １８  ドレンタンク
【図１】
2019090570.tif 000003
【図２】
2019090570.tif 000004
【図３】
2019090570.tif 000005
【図４】
2019090570.tif 000006
【図５】
2019090570.tif 000007
【図６】
2019090570.tif 000008
【図７】
2019090570.tif 000009
【図８】
2019090570.tif 000010
【図９】
2019090570.tif 000011
【図１０】
2019090570.tif 000012
【図１１】
2019090570.tif 000013
【図１２】
2019090570.tif 000014
【図１３】
2019090570.tif 000015